(57)【要約】【課題】連続打ちモードと単発打ちモードとが連続的に切り替わる釘打機を単発打ちモードに保持する。【解決手段】トリガレバー１６とコンタクトアーム１７の操作により回動操作されるコンタクトレバー１９によって起動バルブ１１のバルブステム１４を作動させて打撃機構を駆動させるようにした釘打機において、コンタクトアーム１７の先端部に連続打ちモードと単発打ちモードとを切換え設定する切換作動部材２３を設けるとともに、トリガレバー１６にはコンタクトレバー１９の回動を規制する回動規制部材２７を設け、回動規制部材２７によって、連続打ちモード時にトリガレバー１６を操作することによりコンタクトレバー１９が回動して起動バルブステム１３を作動させたときのオン状態に保持する。【選択図】図１
2007075957.tif 000002
【特許請求の範囲】
【請求項１】
釘を打撃するドライバが一体に結合されたピストンと該ピストンを摺動自在に収容しているシリンダによって構成された打撃機構と、上記打撃機構を収容するとともに先端部に上記ドライバを摺動自在に案内するノーズ部が取り付けられたハウジングと、シリンダ内に圧縮空気を供給させて上記打撃機構を駆動させるとともにシリンダ内から圧縮空気を排気させて打撃機構を初期位置に復帰させるように作動させる起動バルブと、手動によって操作されるトリガレバーに一端側が回動自在に枢支され、他端がノーズ部を被打込み材へ押し込むことによって操作されるコンタクトアームの上端と対向して配置されたコンタクトレバーとから構成され、トリガレバーとコンタクトアームの操作により回動操作されるコンタクトレバーによって上記起動バルブのバルブステムを作動させて上記打撃機構を駆動させるようにした釘打機において、
上記コンタクトアームの先端部に連続打ちモードと単発打ちモードとを切換え設定する切換作動部材を設けるとともに、上記トリガレバーには上記コンタクトレバーの回動を規制する回動規制部材を設け、この回動規制部材によって、連続打ちモード時に上記トリガレバーを操作することにより上記コンタクトレバーが回動して上記起動バルブステムを作動させたときのオン状態に保持する
ことを特徴とする釘打機の単発打ち保持機構。
【請求項２】
上記トリガレバーには、上記回動規制部材を着脱自在に設けたことを特徴とする、請求項１に記載の釘打機の単発打ち保持機構。
【請求項３】
上記トリガレバーの側壁には上記コンタクトレバーの回転軸と上記回動規制部材の係合部とを設け、上記回動規制部材が、上記回転軸と係合部とに係合したときに、上記回動規制部材をコンタクトレバーに係合させることを特徴とする、請求項１に記載の釘打機の単発打ち保持機構。
【発明の詳細な説明】
【技術分野】
【０００１】
本発明は、連続打ちモードと単発打ちモードとを切換え設定可能な釘打機で、単発打ちモードに保持することができる単発打ち保持機構に関する。
【背景技術】
【０００２】
圧縮空気を動力源としてピストンをシリンダ内で衝撃的に駆動させて、ピストンに結合したドライバを摺動可能に案内させている射出口内に供給された釘を上記ドライバによって連続的に打ち込むようにした釘打機が知られており、このような釘打機では釘打機を把持するグリップ部の基部に形成されているトリガレバーの引き操作と、上記ノーズ部の先端に突出させて配置されているコンタクトアームを被打込み材へ押し付ける操作の、２つの部材の操作により釘打機を起動させて、上記シリンダ内へ導入した圧縮空気によりピストンを駆動させてピストンに連結されたドライバによって釘を打ち込むように構成されている。
【０００３】
このような釘打機での釘の打ち込み方式としては、最初にトリガレバーを引き操作した後にコンタクトアームを操作させて釘打機を起動させる連続打ちモードと、釘打機のノーズ部を被打込み材の打込み箇所に位置決めしてコンタクトアームを作動させてその後トリガレバーを引き操作して釘打機を起動させるようにした単発打ちモードとがある。連続打ちモードでは、トリガレバーを引き操作したままで釘打機のノーズ部を被打込み材へ打ち当てる毎に釘打機を連続して起動させて連続的に釘の打込みが行える。また、単発打ちモードでは、決められている打込み位置へ確実に釘打ちを行わせるとともに、釘打機が反動によって上動して再びノーズ部が被打込み材へ押しつけられてコンタクトアームが操作されることによる２度打ち等が発生しないようにしている。
【０００４】
従来の釘打機の起動装置として、同一の釘打機で上記連続打ちモードと単発打ちモードとを自動的に切換えてそれぞれのモードでの釘打ち作業が行なえるようにしたものがある。この釘打機は、コンタクトアームと一体に上下動するように切換作動部材を設け、コンタクトアームを作動させた後にトリガレバーを操作する単発打ちモード時に、トリガレバーによって上記切換作動部材とコンタクトアームを上方位置に保持させ、この上方に保持された切換作動部材又はコンタクトアームとコンタクトレバーとを係合させることによって起動バルブのバルブステムをオン作動状態に保持させるようにし、更に、上記トリガレバーの開放操作によって切換作動部材の保持を解消させて上記起動バルブのバルブステムをオフ位置まで作動できるようにしている。
【特許文献１】特許第２７２７９６０号公報
【特許文献２】特開２００５−８１５１５公報
【発明の開示】
【発明が解決しようとする課題】
【０００５】
しかしながら、例えば米国には、出荷時には単発打ちにおかなければならないとする安全規格（Ｉ−ＳＡＮＮＴＡ規格）があり、また国内でも単発打ちしか認めないとするハウスメーカーもあるので、上述のように、打ち方によって自動的に切り替わってしまう釘打機では、上記条件を満足できない。ところが、建築の現場では自動切換え方式は広く受け入れられている。したがって、このような連単自動切換え方式の釘打機においては、連続打ち、単発打ちの各モードの切換え設定を自動的に行うことができるとともに、ユーザーが意識して単発打ちから連続打ちに切換える機構も備えることが必要である。
【０００６】
本発明は上記問題点を解消し、トリガレバーに設けられたコンタクトレバーを制御することにより、連続打ちモードと単発打ちモードとが連続的に切り替わる釘打機を単発打ちモードに保持することができる、釘打機の単発打ち保持機構を提供することをその課題とする。
【課題を解決するための手段】
【０００７】
上記課題を解決するため、請求項１に係る発明は、釘を打撃するドライバが一体に結合されたピストンと該ピストンを摺動自在に収容しているシリンダによって構成された打撃機構と、上記打撃機構を収容するとともに先端部に上記ドライバを摺動自在に案内するノーズ部が取り付けられたハウジングと、シリンダ内に圧縮空気を供給させて上記打撃機構を駆動させるとともにシリンダ内から圧縮空気を排気させて打撃機構を初期位置に復帰させるように作動させる起動バルブと、手動によって操作されるトリガレバーに一端側が回動自在に枢支され、他端がノーズ部を被打込み材へ押し込むことによって操作されるコンタクトアームの上端と対向して配置されたコンタクトレバーとから構成され、トリガレバーとコンタクトアームの操作により回動操作されるコンタクトレバーによって上記起動バルブのバルブステムを作動させて上記打撃機構を駆動させるようにした釘打機において、上記コンタクトアームの先端部に連続打ちモードと単発打ちモードとを切換え設定する切換作動部材を設けるとともに、上記トリガレバーには上記コンタクトレバーの回動を規制する回動規制部材を設け、この回動規制部材によって、連続打ちモード時に上記トリガレバーを操作することにより上記コンタクトレバーが回動して上記起動バルブステムを作動させたときのオン状態に保持することを特徴とする。
【０００８】
請求項２に係る発明は、上記トリガレバーには、上記回動規制部材を着脱自在に設けたことを特徴とする。
【０００９】
請求項３に係る発明は、上記トリガレバーの側壁には上記コンタクトレバーの回転軸と上記回動規制部材の係合部とを設け、上記回動規制部材が、上記回転軸と係合部とに係合したときに、上記回動規制部材をコンタクトレバーに係合させることを特徴とする。
【発明の効果】
【００１０】
請求項１に係る発明によれば、コンタクトアームの先端部に連続打ちモードとを切換え設定する切換作動部材を設けるとともに、切換作動部材が単発打ちモードに切換え設定された状態で、上記コンタクトアームを被打込み材に押し付けてコンタクトレバーを作動させた後、トリガレバーを操作することにより、同時に上記コンタクトレバーが回動して起動バルブステムを作動させるので、起動バルブが作動し、釘打ち込み作動が行なわれる。釘打ち込み作動が終了後に釘打機を被打込み材から離すと、通常はコンタクトアームが元の位置に復帰するので、コンタクトレバーも元の状態に戻る。ところが、トリガレバーには上記コンタクトレバーの回動を規制する回動規制部材が設けられているので、コンタクトレバーは復帰移動できない。このため、上記起動バルブステムを作動させたときのオン状態に保持する。したがって、トリガを引き操作したままでは、次にコンタクトアームを被打込み材に押し付けても釘打機は起動しない。つまり、連続打ちモードには切り替わらない。
【００１１】
以上のように、釘打機は単発打ちに保持されてしまうので、単発打ちから連続打ちに切換えるためには、ユーザーが意識して回動規制部材を外さなければならない。回動規制部材を外せば、連続打ち、単発打ちのモードの切換え設定を自動的に行うことができる。したがって、自動切換え方式でありながら、出荷時に単発打ちでなければならないとする安全規格や、単発打ちで作業しなければならないとする工事条件などをクリアすることができる。
【００１２】
請求項２に係る発明によれば、回動規制部材は着脱可能であるから、出荷条件をクリアするだけであれば、ユーザーが使用開始するときには取り外してしまえばよい。
【００１３】
請求項３に係る発明によれば、回動規制部材が、回転軸と係合部とに係合させることによりコンタクトレバーに係合するので、簡単な構造によってコンタクトレバーの回転を規制することができる。
【発明を実施するための最良の形態】
【００１４】
図１において符号１は釘打機で、この釘打機１は後方に向けてグリップ部２が一体に形成されたハウジング３の内部に、下面に釘を打撃するドライバ４を結合したピストン５と該ピストン５を摺動自在に収容しているシリンダ６とにより構成されている打撃機構が収容されており、このハウジング３の先端部にはピストン５に結合されているドライバ４を摺動案内する射出口７が形成されたノーズ部８が取り付けられている。上記ハウジング３に形成されたグリップ部２の内部にはグリップ部２の後端に取り付けられているエアプラグを介して圧縮空気源から供給される圧縮空気を貯留させるためのエアチャンバ９が形成されており、エアチャンバ９内の圧縮空気を上記シリンダ６内に供給することによってピストン５を衝撃的に駆動させて、上記射出口７内に供給された釘をドライバ４によってノーズ部８の先端方向へ打ち出すようにしている。
【００１５】
上記ハウジング３内のシリンダ６の上方には、シリンダ６内へエアチャンバ内の圧縮空気を供給してピストン５を駆動させ、また、ピストン５を駆動させた後の圧縮空気をシリンダ６内から大気へ排出させてピストン５を復帰作動させるための環状のメインバルブ１０が設けられている。
【００１６】
さらに、上記グリップ部２の基部には、上記メインバルブ１０が収容されている環状チャンバ内の圧縮空気を制御してメインバルブ１０を作動させて釘打機１を起動させる起動バルブ１１が設けられている。
【００１７】
起動バルブ１１は、中空状のパイロットバルブ１２と、上端部が前記パイロットバルブ１２の中空部内に収容されるとともに下端がバルブハウジング１３から下方に突出されるように配置されているバルブステム１４とにより構成されている。そして、バルブステム１４が下死点位置から上方へ操作されてバルブステム１４が上方に作動すると、パイロットバルブ１２は下方向に作動して起動バルブ１１がオン状態となる。このとき、メインバルブ１０が上方へ作動してシリンダ６内をエアチャンバ９と連通させエアチャンバ９内の圧縮空気をシリンダ６内へ供給させる。同時にバルブチャンバ内に供給される圧縮空気を遮断させる。また、、起動バルブ１１がオンした後、バルブステム１４が下方向へ作動すると、パイロットバルブ１２が上方へ作動して起動バルブがオフ状態となる。エアチャンバ９内圧縮空気のシリンダ６内への供給は遮断され、メインバルブ１０は下方に作動する。
【００１８】
なお、上記打撃機構の作動およびこれに伴う起動バルブ１１の構成や作動については、前記特許文献１、２に示されるように公知であるから詳説しない。要するに、起動バルブのバルブステム１４が下死点位置から一定の距離だけ上方に移動することにより、パイロットバルブ１２が下がったときに起動バルブ１１がオン状態となって打撃機構が駆動され、また、上記オン状態からバルブステム１４が一定の距離だけ下方に作動してパイロットバルブ１２が上がったときに起動バルブ１１がオフ状態となって打撃機構が初期状態に復帰させられる。
【００１９】
ところで、上記バルブステム１４はトリガレバー１６とコンタクトアーム１７との協働によって作動する。すなわち、トリガレバー１６は、グリップ部２を把持して手動によって操作できるようにグリップ部２の基部に回動可能に支持させて形成されている。トリガレバー１６は断面Ｕ字状に形成され、その一端側がハウジング３に枢着軸１８によって回動可能に枢支されており、該トリガレバー１６の両側壁の間には上記起動バルブ１１のバルブステム１４の下端と係合して該バルブステム１４を操作するためのコンタクトレバー１９が配置されている。コンタクトレバー１９の一端側がトリガレバー１６の側壁間に回転軸２０によって回動自在に支持され枢支部を形成しており、他端側がトリガレバー１６の枢着軸１８の方向に配置されて操作端を形成している。
【００２０】
コンタクトアーム１７は、釘を打ち込み案内する射出口７が形成されたノーズ部８を被打込み材へ押し付けることによって作動するように、下端部が射出口７の先端方向に突出して配置されている。
【００２１】
コンタクトアーム１７はノーズ部８に形成されている射出口７に沿って摺動できるようにノーズ部８に支持されており、このコンタクトアーム１７の下端部が射出口７の先端方向に突出して配置されており、ノーズ部８の射出口７を被打込み材面に押し付けることによってコンタクトアーム１７を釘打機１に対して上方へ摺動操作させるようにしている。また、コンタクトアーム１７の上端部にはＬ字片２１が固定されており、該Ｌ字片２１の上方に向いた垂直部２１ａが上記コンタクトレバー１９の操作端と対向して配置されている。これによりコンタクトアーム１７が上方へ作動することによってコンタクトレバー１９の操作端側を上方位置へ作動させるようにしている。上記Ｌ字片２１の水平部にはバネ２２が配置されており、これによりコンタクトアーム１７の下端がノーズ部８の射出口７の先端方向へ突出されるように付勢されている。
【００２２】
次に、図２に詳しく示すように、上記コンタクトアーム１７の上端に取り付けたＬ字片２１の垂直部２１ａには連続打ちモードと単発打ちモードとを設定する切換作動部材２３が摺動可能に担持されている。該切換作動部材２３は上記Ｌ字片２１の垂直部２１ａを収容するように筒状に形成されており、コンタクトアーム１７との間に配置されているバネ２４によって上方へ向けて付勢されている。上記切換作動部材２３とトリガレバー１６との間には、切換作動部材２３から突出形成された係合突部２５とトリガレバー１６に突出形成された係合顎部２６が形成されており、トリガレバー１６が回動操作されたときにトリガレバー１６の係合顎部２６が切換作動部材２３の係合突部２５と上下方向に係合するように形成されている。
【００２３】
さらに、トリガレバー１６の両側壁の内側には、作動レバー３４が上記枢着軸１８によって回動自在に支持されている。作動レバー３４は切換作動部材２３が上方へ作動されて単発打ちモードに設定された時に切換作動部材２３の上端面と係合することによって回動されて、作動レバー３４に形成された操作片３５をトリガレバー１６に枢支されているコンタクトレバー１９の中途部分と係合させることによって、前記トリガレバー１６が中途部まで操作された状態の時の前記コンタクトレバー１９の回動量を規制させるようにしている。
【００２４】
次に、上記トリガレバー１６には上記コンタクトレバー１９の回動を規制する回動規制部材２７が着脱自在に設けられている。この回動規制部材２７は合成樹脂等によって全体が略長方形の板片状に形成され、中央部にはＵ字形の係合溝２８が形成されている。係合溝２８の基部は回転軸２０に係合可能な大きさで、上記基部と開口端部とは絞られている。また、係合溝２８を挟んで一方の側片２７ａの基部には指の爪などを引っ掛けるための凸部２９が形成され、また先端には係合溝２８と反対側に突出する係合突部３０が形成されている。
【００２５】
これに関連し、上記トリガレバー１６の側壁には上記コンタクトレバー１９の回転軸２０の近傍に、上記回動規制部材２７の係合部３１が形成されている。そして、コンタクトレバー１９の基部の中央部から回転軸側に切欠き溝３２が形成されている。
【００２６】
上記回動規制部材２７を取付けるときは、図３（ａ）に示されるように、コンタクトレバー１９の切欠き溝３２から差し込み、その係合溝２８を上記回転軸２０と係合部３１とに係合させればよい。これにより、回動規制部材２７は回転軸２０と係合部３１とに安定に保持され、回動規制部材２７の先端の係合突部３０はコンタクトレバー１９の切欠き溝３２の上縁３３に係合する。したがって、コンタクトレバー１９の回動も規制される。
【００２７】
なお、回動規制部材２７が不要のときは、差し込み方向とは逆の方向に引っ張り出せば簡単に取り外すことができる。また、図３（ｂ）に示されるように、トリガレバー１６の両側壁の内側空間に収納しておいてもよい。
【００２８】
次に、上記構成の釘打機１の起動装置による連続打ちモードと単発打ちモードの各作動態様を説明する。
【００２９】
単発打ちモードで釘打ちを行う場合は、まず釘打機１のノーズ部８を被打込み材に押し付けることによってコンタクトアーム１７を上方に作動させる。これにより、図４に示すようにコンタクトアーム１７の上端に固定されているＬ字片２１の垂直部２１ａの先端がコンタクトレバー１９の操作端側を突き上げて回動させる。このＬ字片２１の上動に伴って切換作動部材２３も上動し、作動レバー３４が図中反時針方向に回動されてこの作動レバー３４の操作片３５がコンタクトレバー１９の中途部に係合してコンタクトレバー１９を回動させる。トリガレバー１６が回動操作されていないのでこのコンタクトレバー１９の回動のみでは、起動バルブ１１のバルブステム１４は全く操作されていない。
【００３０】
その後、トリガレバー１６を引き操作することによってトリガレバー１６が回動されて図５に示すようにコンタクトレバー１９が上方へ押し上げられて操作端側を中心として回動し、バルブステム１４がオン位置まで押し上げ作動されたときにパイロットバルブ１２は下動し、起動バルブ１１がオンされて打撃機構が駆動され釘打ち作動が行なわれる。
【００３１】
釘打ち込み終了後に釘打機のノーズ部８を被打込み材から離すと、コンタクトアームとともにＬ字片２１が図６のように下がり、さらにトリガレバー１６を解放して下方に回動させると、図３の初期状態に戻る。再び同じ動作を繰り返すことにより単発打ちを実行することができる。
【００３２】
次に、連続打ちモードを選択する場合を、回動規制部材２７が無い場合と、回動規制部材２７がある場合について説明する。
【００３３】
回動規制部材２７が無いときは、図７に示すように、まずトリガレバー１６を引き操作して、トリガレバー１６を最大引き位置まで回動させる。この状態では、コンタクトレバー１９の係合顎部２５は切換作動部材２３の係合突部２５に当る。トリガレバー１６の回動によってコンタクトレバー１９の枢支部側が上方へ移動して操作端側を中心として回動されるが、起動バルブ１１のバルブステム１４がオン位置まで操作されることがなく釘打機１は起動されない。
【００３４】
次に、釘打機１のノーズ部８を被打込み材の上面に押し付けることによりコンタクトアーム１７を相対的に上動させる。このとき、図８に示すように、切換作動部材２３の係合突部２５はトリガレバー１６の係合顎部２６の下面と係合して上方へ移動できないから、コンタクトアーム１７の上端に固定されているＬ字片２１の垂直部２１ａが上動して、コンタクトレバー１９の操作端を押し上げしてコンタクトレバー１９を枢支端側を中心として回動させ、これによりバルブステム１４がオン位置まで移動したときにパイロットバルブ１２が下動し、起動バルブ１１がオン作動してメインバルブ１０を介して打撃機構を作動させ、被打込み材に対して釘を打ち込む。
【００３５】
釘打ち終了後にトリガレバー１６を引き操作したまま釘打機１を被打込み材面から離反させるとコンタクトアーム１７がバネ２２によって下方に復帰移動させられ、図９に示すように、コンタクトアーム１７の下降に従ってコンタクトレバー１９は枢支部を中心として下死点まで回動し、コンタクトレバー１９によってオン位置に作動されていたバルブステム１４が下死点位置まで作動し、パイロットバルブ１２が上動して起動バルブ１１をオフさせ、打撃機構が初期状態に復帰する。この状態から再び釘打機１を被打込み材に押し付けてコンタクトアーム１７を作動させると、図８に示されるように、コンタクトアーム１７の上動に伴ってコンタクトレバー１９が回動されてバルブステム１４を上死点まで押し上げるので、再度起動バルブ１１がオン作動し打撃機構が駆動される。
【００３６】
このように、トリガレバー１６を引き操作したまま釘打機１のノーズ部８を被打込み材に押し付け、また離反させる操作を繰り返し行うことによってコンタクトアーム１７を操作する度に起動バルブ１１がオン、オフ作動し、打撃機構が連続的に駆動されるから、連続打ちを行なうことができる。また、一連の連続した釘打ち作動が終了した後にトリガレバー１６を解放操作すれば、起動バルブ１１のバルブステム１４が下死点まで作動して起動バルブ１１がオフ作動して初期状態に復帰する。上記のようにトリガレバー１６を開放した後ではコンタクトアーム１７を操作してもバルブステム１４は起動バルブ１１をオンさせる位置までは操作されることはない。
【００３７】
次に、回動規制部材２７が装着されているときは、図７、図８の場合と同様に、トリガレバー１６を引き操作して回動させる。そして、釘打機１のノーズ部８を被打込み材の上面に押し当ててコンタクトアーム１７を相対的に上動させる。このとき、切換作動部材２３の係合突部２５はトリガレバー１６の係合顎部２６の下面と係合して上方へ移動できないから、コンタクトアーム１７の上端に固定されているＬ字片２１の垂直部２１ａが上動して、コンタクトレバー１９の操作端を押し上げしてコンタクトレバー１９を枢支端側を中心として回動させ、これによりバルブステム１４がオン位置まで操作されたときに起動バルブ１１がオン作動されてメインバルブ１０を介して打撃機構を作動させ、被打込み材に対して釘を打ち込む。
【００３８】
ところが、釘打ち終了後にトリガレバー１６を引き操作したまま釘打機１を被打込み材面から離反させるとコンタクトアーム１７がバネ２２によって下方に復帰移動する。しかし、図１０に示されるように、回動規制部材２７の先端の係合突部３０はコンタクトレバー１９の切欠き溝３２の上縁３３に係合し、コンタクトレバー１９の回動を規制するから、コンタクトレバー１９は復帰作動できない。このため、バルブステム１４は押し上げられたままで下降しないので、パイロットバルブ１２も下降したままであり、起動バルブ１１もオン状態に保持される。
【００３９】
したがって、この状態から再び釘打機１を被打込み材に押し付けてコンタクトアーム１７を作動させても、バルブステム１４は既に押し上げられているから、これをさらに押し上げても起動バルブ１１がオン作動することはない。したがって、打撃機構も駆動されない。つまり、トリガレバー１６を引いたままで一度コンタクトアーム１７を下方に移動させた後、再びノーズ部８を被打込み材に押し当てても、打撃機構が駆動されることはない。この場合、連続打ちはできないのである。
【００４０】
再び釘打機１を駆動するためには、いったんトリガレバー１６を解放し、その後に釘打機１を被打込み材から離してコンタクトアーム１７を下方に作動させると、切換作動部材２３も初期位置に復帰し、起動バルブ１１も下方に移動してオフ状態となる。これにより、釘打機１は初期状態となる。
【００４１】
上述のように、単発打ちモードでは当然単発打ちが行なわれるが、連続打ちモードを選択しても、連続打ちモードには切り替わらないから、連続打ちはできない。単発打ち又は連続打ちのいずれのモードを選択しても、釘を単発的に打ち込むことはできるが、連続的に打ち込むことはできない。単発打ちモードに保持されてしまうのである。
【００４２】
釘打機１は単発打ちモードに保持された状態から単発打ちと連続打ちが切り替わる連単切換えモードにするためには、ユーザーが意識して回動規制部材２７を外さなければならない。回動規制部材２７を外せば、連続打ち、単発打ちのモードの切換え設定を自動的に行うことができる。したがって、自動切換え方式でありながら、出荷時に単発打ちでなければならないとする安全規格や、単発打ちで作業しなければならないとする工事条件などをクリアすることができる。
【００４３】
また、回動規制部材２７は着脱可能であるから、出荷条件をクリアするだけであれば、ユーザーが使用開始するときには取り外してしまえばよい。もちろん、切換えをしない事情があるときは、回動規制部材２７を装着すればよい。
【００４４】
さらに、回動規制部材２７は、その係合溝２８を回転軸と係合部３１とに係合させることによりコンタクトレバー１９に係合するので、簡単な構造によってコンタクトレバー１９の回転を規制することができる。
【００４５】
なお、回動規制部材２７は、実施例では、回動規制部材２７に係合溝２８を設けた構成で説明したが、回転軸及び係合部側に係合溝を設け、この溝に回動規制部材が挿入される構成でも良い。すなわち、コンタクトレバー１９の回動を規制するものであればどのような構造でもよく、上述の実施形態の構造に限定されない。
【図面の簡単な説明】
【００４６】
【図１】本発明に係る釘打機の要部を示す縦断側面図である。
【図２】図１の釘打機の主要部を拡大した縦断側面図である。
【図３】（ａ）（ｂ）はそれぞれ回動規制部材の取付態様と収納態様を示す縦断面図である。
【図４】図１の起動装置を単発打ちモードで作動させるためコンタクトアームを上死点まで操作した状態を示す断面図
【図５】トリガレバーを回動操作して起動バルブがオンされた瞬間の作動状態を示す断面図である。
【図６】釘打機の反動によりコンタクトアームが下死点方向に作動した状態を示す断面図である。
【図７】図１の起動装置の連続打ちモードでのトリガレバーを引き操作した作動状態を示す断面図である。
【図８】コンタクトアームが操作されて起動バルブがオンされた瞬間の作動状態を示す断面図である。
【図９】釘の打込み後にコンタクトアームを下死点まで作動させて起動バルブをオフ作動させた状態を示す断面図である。
【図１０】コンタクトアームが下死点まで下降した状態でも、起動バルブがオン状態に保持された状態を示す断面図である。
【符号の説明】
【００４７】
１    釘打機
１１  起動バルブ
１４  バルブステム
１６  トリガレバー
１７  コンタクトアーム
１９  コンタクトレバー
２３  切換作動部材
２７  回動規制部材
【図１】
2007075957.tif 000003
【図２】
2007075957.tif 000004
【図３】
2007075957.tif 000005
【図４】
2007075957.tif 000006
【図５】
2007075957.tif 000007
【図６】
2007075957.tif 000008
【図７】
2007075957.tif 000009
【図８】
2007075957.tif 000010
【図９】
2007075957.tif 000011
【図１０】
2007075957.tif 000012